(57)【要約】  複数ユーザアップリンクのための方法および装置が提供される。１つの態様において、ワイヤレス通信のための方法は、２つ以上の局に対する、アップリンク送信を同時に送信する要求を備えるメッセージを受信することを含む。方法は、クリアチャネルアセスメント（ＣＣＡ）またはネットワーク割り振りベクトル（ＮＡＶ）に基づいて、局において、媒体の状態を決定することをさらに含む。方法は、媒体の状態の指示に基づいて、アップリンク送信を選択的に送信することをさらに含む。【選択図】図７
2018521526.tif 000002
【特許請求の範囲】
【請求項１】
２つ以上の局に対する、アップリンク送信を同時に送信する要求を備えるメッセージを受信することと、
クリアチャネルアセスメント（ＣＣＡ）およびネットワーク割り振りベクトル（ＮＡＶ）のうちの少なくとも１つに基づいて、前記局における媒体の状態を決定することと、
前記局における前記媒体の前記状態に基づいて、または前記メッセージ中に含まれる指示に基づいて、前記アップリンク送信を選択的に送信することとを備える、ワイヤレス通信のための方法。
【請求項２】
前記媒体の前記状態を決定することは、前記メッセージを受信する前に、前記ＣＣＡをチェックすることを備える、請求項１記載の方法。
【請求項３】
前記媒体の前記状態を決定することは、少なくとも１つの予め指定されたチャネル上の前記ＣＣＡをチェックすることを備える、請求項１記載の方法。
【請求項４】
前記メッセージは、前記少なくとも１つの予め指定されたチャネルの指示を備える、請求項３記載の方法。
【請求項５】
前記媒体の前記状態を決定することは、前記メッセージを受信後、かつ前記アップリンク送信を選択的に送信する前の時間の期間の間に、前記ＣＣＡをチェックすることを備える、請求項１記載の方法。
【請求項６】
前記時間の期間は、短いフレーム間空間（ＳＩＦＳ）時間、ポイントコーディネーション機能フレーム間空間（ＰＩＦＳ）時間、またはフレーム間空間（ＴＩＦＳ）時間を備える、請求項５記載の方法。
【請求項７】
前記媒体の前記状態を決定することは、前記アップリンク送信の持続時間にさらに基づく、請求項１記載の方法。
【請求項８】
前記媒体の前記状態を決定することは、前記媒体上のエネルギーレベルをチェックすることを備える、請求項１記載の方法。
【請求項９】
前記媒体の前記状態を決定することは、ガードインターバル構造に基づいて、直交周波数分割多重（ＯＦＤＭ）送信を検出することを備える、請求項１記載の方法。
【請求項１０】
前記媒体の前記状態を決定することは、前記媒体上で受信されたメッセージに基づいて、前記ＮＡＶを設定することを備える、請求項１記載の方法。
【請求項１１】
前記ＮＡＶを設定することは、予め指定されたチャネル上で受信されたメッセージに基づいて、前記ＮＡＶを設定することを備える、請求項１０記載の方法。
【請求項１２】
前記メッセージは、アップリンク多ユーザ多入力多出力（ＭＵ−ＭＩＭＯ）送信またはアップリンク多ユーザ直交周波数分割多元接続（ＭＵ−ＯＦＤＭ）送信を使用して、前記２つ以上の局に対する、前記アップリンク送信を送信する命令をさらに含む、請求項１記載の方法。
【請求項１３】
前記メッセージは、前記アップリンク送信に対する周波数帯域幅の割り当てをさらに含む、請求項１記載の方法。
【請求項１４】
選択的に送信することは、前記割り当てられた帯域幅の利用可能な一部分上で、または前記割り当てられた帯域幅の利用可能な一部分のサブセット上で、前記アップリンク送信を送信することを備える、請求項１３記載の方法。
【請求項１５】
選択的に送信することは、前記割り当てられた帯域幅の少なくとも一部分上で、前記媒体の前記状態がビジーであるとき、前記アップリンク送信を送信することを控えることを備える、請求項１３記載の方法。
【請求項１６】
選択的に送信することは、前記媒体の前記状態がビジーであるとき、前記アップリンク送信を送信することを控えることを備える、請求項１記載の方法。
【請求項１７】
選択的に送信することは、送信パラメータに基づいて、前記アップリンク送信を送信することを備える、請求項１記載の方法。
【請求項１８】
前記送信パラメータは、ガードインターバル、帯域幅、送信（ＴＸ）電力、変調およびコード化スキーム（ＭＣＳ）、ＴＸ時間、他の局の識別性、送信されるであろうデータの量、およびパディングを除く前記データの推定された持続時間から成るグループのうちの少なくとも１つのメンバーを備える、請求項１７記載の方法。
【請求項１９】
前記指示は、前記媒体の前記状態に拘わらず、前記２つ以上の局が前記アップリンク送信を送信すべきであることを指示する前記メッセージのフィールド中の値を備える、請求項１記載の方法。
【請求項２０】
２つ以上の局に対する、アップリンク送信を同時に送信する要求を備えるメッセージを受信するように構成された受信機と、
クリアチャネルアセスメント（ＣＣＡ）およびネットワーク割り振りベクトル（ＮＡＶ）のうちの少なくとも１つに基づいて、媒体の状態を決定するように構成されたプロセッサと、
前記媒体の前記状態に基づいて、または前記メッセージ中に含まれる指示に基づいて、前記アップリンク送信を選択的に送信するように構成された送信機とを備える、ワイヤレス通信のための装置。
【請求項２１】
前記プロセッサは、前記メッセージを受信する前に、前記ＣＣＡをチェックするようにさらに構成される、請求項２０記載の装置。
【請求項２２】
前記プロセッサは、前記メッセージを受信後かつ前記アップリンク送信を選択的に送信する前の時間の期間の間に、前記ＣＣＡをチェックするようにさらに構成される、請求項２０記載の装置。
【請求項２３】
前記時間の期間は、短いフレーム間空間（ＳＩＦＳ）時間、ポイントコーディネーション機能フレーム間空間（ＰＩＦＳ）時間、またはフレーム間空間（ＴＩＦＳ）時間を備える、請求項２２記載の装置。
【請求項２４】
前記プロセッサは、前記アップリンク送信の持続時間に基づいて、前記ＣＣＡをチェックするようにさらに構成される、請求項２０記載の装置。
【請求項２５】
前記プロセッサは、前記媒体上のエネルギーレベルをチェックするようにさらに構成される、請求項２０記載の装置。
【請求項２６】
前記プロセッサは、ガードインターバル構造に基づいて、直交周波数分割多重（ＯＦＤＭ）送信を検出するようにさらに構成される、請求項２０記載の装置。
【請求項２７】
前記プロセッサは、前記媒体上で受信されたメッセージに基づいて、前記ＮＡＶを設定するようにさらに構成される、請求項２０記載の装置。
【請求項２８】
前記プロセッサは、予め指定されたチャネル上で受信されたメッセージに基づいて、前記ＮＡＶを設定するようにさらに構成される、請求項２７記載の装置。
【請求項２９】
前記メッセージは、アップリンク多ユーザ多入力多出力（ＭＵ−ＭＩＭＯ）送信またはアップリンク多ユーザ直交周波数分割多元接続（ＭＵ−ＯＦＤＭ）送信を使用して、前記局に対する、前記アップリンク送信を送信する命令をさらに含む、請求項２０記載の装置。
【請求項３０】
前記メッセージは、前記アップリンク送信に対する周波数帯域幅の割り当てをさらに含む、請求項２０記載の装置。
【請求項３１】
前記送信機は、前記割り当てられた帯域幅の利用可能な一部分上で、または前記割り当てられた帯域幅の利用可能な一部分のサブセット上で、前記アップリンク送信を送信するようにさらに構成される、請求項３０記載の装置。
【請求項３２】
前記送信機は、前記媒体の前記状態がビジーであるとき、前記アップリンク送信を送信することを控えるようにさらに構成される、請求項２０記載の装置。
【請求項３３】
前記送信機は、送信パラメータに基づいて、前記アップリンク送信を送信するようにさらに構成される、請求項２０記載の装置。
【請求項３４】
前記送信パラメータは、ガードインターバル、帯域幅、送信（ＴＸ）電力、変調およびコード化スキーム（ＭＣＳ）、ＴＸ時間、他の局の識別性、送信されるであろうデータの量、およびパディングを除く前記データの推定された持続時間のうちの１つ以上を備える、請求項３３記載の装置。
【請求項３５】
２つ以上の局に対する、アップリンク送信を同時に送信する要求を備えるメッセージを受信するための手段と、
クリアチャネルアセスメント（ＣＣＡ）およびネットワーク割り振りベクトル（ＮＡＶ）のうちの少なくとも１つに基づいて、媒体の状態を決定するための手段と、
前記媒体の前記状態に基づいて、または前記メッセージ中に含まれる指示に基づいて、前記アップリンク送信を選択的に送信するための手段とを備える、ワイヤレス通信のための装置。
【請求項３６】
命令が実行されたとき、
２つ以上の局に対する、アップリンク送信を同時に送信する要求を備えるメッセージを受信することと、
クリアチャネルアセスメント（ＣＣＡ）およびネットワーク割り振りベクトル（ＮＡＶ）のうちの少なくとも１つに基づいて、前記局における媒体の状態を決定することと、
前記媒体の前記状態に基づいて、または前記メッセージ中に含まれる指示に基づいて、前記アップリンク送信を選択的に送信することとの方法を、プロセッサに実施させる命令を備える、非一時的コンピュータ可読媒体。
【発明の詳細な説明】
【分野】
【０００１】
[0001]本開示のある態様は一般に、ワイヤレス通信に関し、より具体的には、ワイヤレスネットワークにおける複数ユーザアップリンク通信での応答ルールのための方法および装置に関する。
【背景】
【０００２】
[0002]多くのテレコミュニケーションシステムにおいて、通信ネットワークが、いくつかの相互作用する空間的に隔てられたデバイス間でメッセージを交換するために使用される。ネットワークは、地理的範囲に従って分類されることがあり得、これは、例えば、メトロポリタンエリア、ローカルエリア、またはパーソナルエリアであり得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と指定され得る。ネットワークはまた、様々なネットワークノードおよびデバイスを相互接続するために使用されるスイッチング／ルーティング技法（例えば、回線スイッチング対パケットスイッチング）、送信のために採用される物理媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）、等）に従って異なる。
【０００３】
[0003]ワイヤレスネットワークは、しばしば、ネットワーク要素が移動式であり、よって動的接続性のニーズを有するとき、またはネットワークアーキテクチャが固定式よりもアドホックのトポロジにおいて形成される場合に、好まれる。ワイヤレスネットワークは、無線、マイクロ波、赤外線、光等の周波数帯域における電磁波を使用して、無誘導伝搬モードにおいて無形物理媒体を採用する。ワイヤレスネットワークは、固定ワイヤードネットワークと比較したとき、迅速なフィールド展開およびユーザ移動性を有利に促進する。
【０００４】
[0004]ワイヤレス通信システムのために必要とされる帯域幅要件を増大するという課題に対処するために、複数のユーザ端末（ＵＴ）が高データスループットを達成しつつチャネルリリースを共有することによって単一のアクセスポイントと通信することができるようにするために異なるスキームが開発されてきている。制限された通信リソースでは、アクセスポイントと複数の端末間で通過するトラフィックの量を低減することが望まれる。例えば、複数の端末がアップリンク通信をアクセスポイントに送出するとき、全ての送信のアップリンクを完成するためのトラフィックの量を最小化することが望ましい。よって、複数の端末からのアップリンク送信に対する改善されたプロトコルの必要性がある。
【概要】
【０００５】
[0005]添付の特許請求の範囲内のシステム、方法、およびデバイスの様々な実装は、いくつかの態様を各々有し、これらのうちのどれ１つとして、単独で本明細書において説明される望ましい属性を担うものではない。添付の特許請求の範囲を限定することなく、いくつかの顕著な特徴が本明細書において説明される。
【０００６】
[0006]本明細書において説明される主題の１つ以上の実装の詳細が、添付図面および以下の説明に記述されている。他の特徴、態様、および利点は、明細書、図面、および特許請求の範囲から明らかになるであろう。以下の図面の相対的な寸法は、一定の比率に縮小して描かれていないこともあることに留意されたい。
【０００７】
[0007]本開示の１つの態様は、ワイヤレス通信の方法を提供する。方法は、２つ以上の局に対する、アップリンク送信を同時に送信する要求を備えるメッセージを受信することを備える。方法は、クリアチャネルアセスメント（ＣＣＡ）およびネットワーク割り振りベクトル（ＮＡＶ）のうちの少なくとも１つに基づいて、局における媒体の状態を決定することをさらに備える。方法は、局における媒体の状態に基づいて、またはメッセージ中に含まれる指示に基づいて、アップリンク送信を選択的に送信することをさらに備える。
【０００８】
[0008]本開示の別の態様は、ワイヤレス通信のための装置を提供する。装置は、２つ以上の局に対する、アップリンク送信を同時に送信する要求を備えるメッセージを受信するように構成された受信機を備える。装置は、クリアチャネルアセスメント（ＣＣＡ）およびネットワーク割り振りベクトル（ＮＡＶ）のうちの少なくとも１つに基づいて、媒体の状態を決定するように構成されたプロセッサをさらに備える。装置は、媒体の状態に基づいて、またはメッセージ中に含まれる指示に基づいて、アップリンク送信を選択的に送信するように構成された送信機をさらに備える。
【０００９】
[0009]本開示の別の態様は、ワイヤレス通信のための装置を提供する。装置は、２つ以上の局に対する、アップリンク送信を同時に送信する要求を備えるメッセージを受信するための手段を備える。装置は、クリアチャネルアセスメント（ＣＣＡ）およびネットワーク割り振りベクトル（ＮＡＶ）のうちの少なくとも１つに基づいて、媒体の状態を決定するための手段をさらに備える。装置は、媒体の状態に基づいて、またはメッセージ中に含まれる指示に基づいて、アップリンク送信を選択的に送信するための手段をさらに備える。
【００１０】
[0010]本開示の別の態様は、非一時的なコンピュータ可読媒体を提供する。媒体は、実行されたとき、２つ以上の局に対する、アップリンク送信を同時に送信する要求を備えるメッセージを受信する方法を、プロセッサに実施させる命令を備える。媒体は、実行されたとき、クリアチャネルアセスメント（ＣＣＡ）およびネットワーク割り振りベクトル（ＮＡＶ）のうちの少なくとも１つに基づいて、局における媒体の状態を決定する方法をプロセッサに実施させる命令をさらに備える。媒体は、実行されたとき、媒体の状態に基づいて、またはメッセージ中に含まれる指示に基づいて、アップリンク送信を選択的に送信する方法を、プロセッサに実施させる命令をさらに備える。
【図面の簡単な説明】
【００１１】
【図１】[0011]図１は、アクセスポイントとユーザ端末を有する多元接続多入力多出力（ＭＩＭＯ）システムを例証する。
【図２】[0012]図２は、ＭＩＭＯシステムにおけるアクセスポイント１１０と２つのユーザ端末１２０ｍおよび１２０ｘのブロック図を例証する。
【図３】[0013]図３は、ワイヤレス通信システム内で採用され得るワイヤレスデバイスにおいて利用され得る様々なコンポーネントを例証する。
【図４】[0014]図４は、アップリンク（ＵＬ）複数ユーザ（ＭＵ）通信の例となるフレーム交換の時間図を指し示す。
【図５】[0015]図５は、ＵＬ−ＭＵ通信の別の例となるフレーム交換の時間図を指し示す。
【図６】[0016]図６は、ＵＬ−ＭＵ通信の例となるフレーム交換の時間図を指し示す。
【図７】[0017]図７は、ワイヤレス通信を提供する例示的方法の態様のフローチャートである。
【図８】[0018]図８は、ワイヤレス通信を提供する例示的方法の態様のフローチャートである。
【詳細な説明】
【００１２】
[0019]添付した図面を参照して、新規なシステム、装置、および方法の様々な態様をこれからさらに十分に説明する。しかしながら、本教示の開示は、多くの異なる形態で具現化されることができ、本開示全体を通して提示される任意の特定の構造または機能に限定されるものとして解釈されるべきではない。むしろ、これらの態様は、本開示が完全となり、および当業者に対して本開示の範囲を十分に伝えるために提供される。本発明の何らかの他の態様とは独立して実現されようと、それと組み合わせて実現されようと、開示の範囲が、本明細書において開示される、新規なシステム、装置、および方法の任意の態様をカバーすることを意図していることを、本明細書における教示に基づいて当業者は正しく認識すべきである。例えば、本明細書において説明される任意の数の態様を用いて装置が実装され得、または方法は、実施され得る。加えて、本発明の範囲は、他の構造、機能、または本明細書において説明される本発明の様々な態様に加えたまたはそれ以外の構造および機能を用いて実行されるこういった装置または方法をカバーすることを意図する。本明細書において開示される態様はいずれも、請求項の１つ以上の要素によって具現化され得ることを理解すべきである。
【００１３】
[0020]特定の態様が本明細書において記載されるが、これらの態様の多くの変形および並べ替えは本開示の範囲内である。好適な態様のうちのいくつかの利益および利点が述べられるが、本開示の範囲は、特定の利益、使用、または目的に限定されることを意図しない。むしろ、本開示の態様は、異なるワイヤレス技術、システム構成、ネットワーク、および送信プロトコルに広く適用可能であることを意図しており、それらのうちのいくつかは、図面内の例およびそれに続く好適な態様の説明によって例証される。詳細な説明および図面は、添付の特許請求の範囲およびその等価物によって定義される本開示の範囲を限定するよりむしろ本開示の単なる例証にすぎない。
【００１４】
[0021]ワイヤレスネットワーク技術は、様々なタイプのワイヤレスローカルエリアネットワーク（ＷＬＡＮ）を含み得る。ＷＬＡＮは、様々なネットワークプロトコルを採用して、近接するデバイスを互いに相互接続するために使用され得る。本明細書に説明される様々な態様は、Ｗｉ−Ｆｉ（登録商標）、またはより一般には、ワイヤレスプロトコルのＩＥＥＥ８０２．１１ファミリの任意のメンバーのような、任意の通信標準規格に適用し得る。
【００１５】
[0022]いくつかの態様において、ワイヤレス信号は、直交周波数分割多重（ＯＦＤＭ（登録商標））、直接シーケンス拡散スペクトル方式（ＤＳＳＳ）通信、ＯＦＤＭおよびＤＳＳＳ通信の組み合せ、または他の方式を使用する、高効率８０２．１１プロトコルに従って送信され得る。高効率８０２．１１プロトコルの実装は、インターネットアクセス、センサ、メータリング（metering）、スマートグリッドネットワーク、または他のワイヤレスアプリケーションに使用され得る。好都合なことに、この特定のワイヤレスプロトコルを実装するあるデバイスの態様は、短い距離を横切ってワイヤレス信号を送信するために使用され得、人間のような対象物によってブロックされる可能性の少ない信号を送信することができ得、同じエリアにおいて増加したピアツーピアサービス（例えば、ミラキャスト（Ｍｉｒａｃａｓｔ）、ＷｉＦｉ直接サービス、ソーシャルＷｉＦｉ、等）を許容し得、より多くのユーザをサポートする増加したユーザ当たりの最小スループット要件をサポートし得、改善されたアウトドアカバレッジとロバストネスを提供し得、および／または他のワイヤレスプロトコルを実装するデバイスよりも、より少ない電力を消費し得る。
【００１６】
[0023]いくつかの実装において、ＷＬＡＮは、ワイヤレスネットワークにアクセスするコンポーネントである様々なデバイスを含む。例えば、２つのタイプのデバイス：アクセスポイント（「ＡＰ」）およびクライアント（局、または「ＳＴＡ」と称されることもある）があり得る。一般に、ＡＰは、ＷＬＡＮのためのハブまたは基地局として機能し、また、ＳＴＡは、ＷＬＡＮのユーザとして機能する。例えば、ＳＴＡは、ラップトップコンピュータ、パーソナルデジタルアシスタント（ＰＤＡ）、モバイル電話、等であり得る。例において、ＳＴＡは、インターネットまたは他のワイドエリアネットワークへの一般的な接続を得るために、Ｗｉ−Ｆｉ（例えば、８０２．１１ａｈのようなＩＥＥＥ８０２．１１プロトコル）対応のワイヤレスリンクを介してＡＰに接続する。いくつかの実装において、ＳＴＡはまた、ＡＰとして使用され得る。
【００１７】
[0024]本明細書において記載される技法は、直交多重スキームに基づく通信システムを含む様々な広帯域ワイヤレス通信システムに対して使用され得る。そのような通信システムの例は、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システム、等々を含む。ＳＤＭＡシステムは、複数のユーザ端末に属するデータを同時に送信するために異なる方向を利用し得る。ＴＤＭＡシステムは、送信信号を異なるタイムスロットに分割することによって同じ周波数チャネルを共有することを複数のユーザ端末に許容し得、各タイムスロットは、異なるユーザ端末に割り当てられる。ＴＤＭＡシステムは、ＧＳＭ（登録商標）（モバイル通信のためのグローバルシステム）または当技術分野において知られている何らかの他の標準規格を実装し得る。ＯＦＤＭＡシステムは、全体のシステム帯域幅を複数の直交サブキャリアに区分する変調技法である直交周波数分割多重（ＯＦＤＭ）、を利用し得る。これらのサブキャリアはまた、トーン、ビン、等と呼ばれ得る。ＯＦＤＭで、各サブキャリアはデータによって別々に変調され得る。ＯＦＤＭシステムは、ＩＥＥＥ８０２．１１または当技術分野において知られている何らかの他の標準規格を実装し得る。ＳＣ−ＦＤＭＡシステムは、システム帯域幅を横切って分散されるサブキャリア上で送信するためにインターリーブドＦＤＭＡ（ＩＦＤＭＡ）を利用し得、隣接するサブキャリアのブロック上で送信するためにローカライズされたＦＤＭＡ（ＬＦＤＭＡ）を利用し得、あるいは隣接するサブキャリアの複数のブロック上で送信するために拡張ＦＤＭＡ（ＥＦＤＭＡ）を利用し得る。一般に、変調シンボルは、ＯＦＤＭでは周波数領域において、ＳＣ−ＦＤＭでは時間領域において送信される。ＳＣ−ＦＤＭＡシステムは、３ＧＰＰ（登録商標）−ＬＴＥ（登録商標）（第３世代パートナーシッププロジェクトのロングタームエボリューション）または他の標準規格を実装し得る。
【００１８】
[0025]本明細書における教示は、種々のワイヤードまたはワイヤレス装置（例えば、ノード）中に組み込まれ得る（例えば、装置中に実装されるか、または装置によって実行される）。いくつかの態様において、本明細書における教示に従って実装されるワイヤレスノードは、アクセスポイントまたはアクセス端末を備え得る。
【００１９】
[0026]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備え得るか、それらとして実装され得るか、または、それらとして知られ得る。ある実装において、ＥＳＳはＡＰのセットである。
【００２０】
[0027]局（「ＳＴＡ」）はまた、ユーザ端末（「ＵＴ」））、アクセス端末（「ＡＴ」）、加入者局、加入者ユニット、移動局、遠隔局、遠隔端末、ユーザエージェント、ユーザデバイス、ユーザ機器、または何らかの他の用語を備え得る、これらとして実装され得る、あるいはこれらとして知られ得る。いくつかの実装において、アクセス端末は、セルラ電話、コードレス電話、セッション開始プロトコル（「ＳＩＰ」）電話、ワイヤレスローカルループ（「ＷＬＬ」）局、パーソナルデータアシスタント（「ＰＤＡ」）、ワイヤレス接続能力を有するハンドヘルドデバイス、またはワイヤレスモデムに接続された何らかの他の適した処理デバイスであり得る。従って、本明細書において教示される１つ以上の態様は、電話（例えば、セルラ電話またはスマートフォン）中に、コンピュータ（例えば、ラップトップ）中に、ポータブル通信デバイス中に、ヘッドセット中に、ポータブルコンピューティングデバイス（例えば、パーソナルデータアシスタント）中に、エンターテインメントデバイス（例えば、音楽またはビデオのデバイス、あるいは、衛星ラジオ）中に、ゲームデバイスまたはシステム中に、グローバルポジショニングシステムデバイス中に、あるいは、ワイヤレスの媒体またはチャネルを介して通信するように構成されている何らかの他の適したデバイス中に、組み込まれ得る。
【００２１】
[0028]図１は、アクセスポイントおよびユーザ端末を有する多元接続多入力多出力（ＭＩＭＯ）システム１００を例証する図である。簡単のために、１つのみのアクセスポイント１１０が図１に指し示される。アクセスポイントは一般的にユーザ端末と通信し、かつ基地局として、またはいくつかの他の用語を使用して呼ばれ得る固定された局である。ユーザ端末またはＳＴＡは、固定されているか、または移動式であり得、かつ移動局、ワイヤレスデバイスとして、またはいくつかの他の用語を使用して呼ばれ得る。アクセスポイント１１０は、ダウンリンクおよびアップリンク上で、任意の所与の時点において１つ以上のユーザ端末（ＵＴ）１２０と通信し得る。ダウンリンク（すなわち、順方向リンク）は、アクセスポイントからユーザ端末への通信リンクであり、ならびにアップリンク（すなわち、逆方向リンク）は、ユーザ端末からアクセスポイントへの通信リンクである。ユーザ端末はまた、別のユーザ端末とピアツーピア通信を行い得る。システムコントローラ１３０は、アクセスポイントに結合され、アクセスポイントのための調整と制御を提供する。
【００２２】
[0029]下記の開示の部分は、空間分割多元接続（ＳＤＭＡ）を介して通信することが可能なユーザ端末１２０を説明する一方で、特定の態様について、ユーザ端末１２０はまた、ＳＤＭＡをサポートしないいくつかのユーザ端末を含み得る。よって、そのような態様について、ＡＰ１１０は、ＳＤＭＡおよび非ＳＤＭＡユーザ端末の両方と通信するように構成され得る。このアプローチは、より新しいＳＤＭＡユーザ端末が導入されることを可能にする一方で、ＳＤＭＡをサポートしない、より古い型のユーザ端末（「レガシー」局）が企業で展開されたままとし、その有益な寿命を延長し続けることを都合よく許容し得る。
【００２３】
[0030]システム１００は、ダウンリンクおよびアップリンク上でのデータ送信のために複数送信および複数受信アンテナを採用する。アクセスポイント１１０は、Ｎａｐ個のアンテナを装備し、ダウンリンク送信について多入力（ＭＩ）を、およびアップリンク送信について多出力（ＭＯ）を表す。Ｋ個の選択されたユーザ端末１２０のセットは、ダウンリンク送信について多出力を、およびアップリンク送信について多入力を集合的に表す。純粋なＳＤＭＡについて、Ｋ個のユーザ端末のためのデータシンボルストリームが、何らかの手段によってコード、周波数、または時間において多重化されていない場合、Ｎａｐ≦Ｋ≦１であることが望ましい。データシンボルストリームが、ＴＤＭＡ技法、ＣＤＭＡを用いる異なるコードチャネル、ＯＦＤＭを用いる互いに素なサブバンドのセット、等々、を使用して多重化できる場合、Ｋは、Ｎａｐよりも大であり得る。各選択されたユーザ端末は、アクセスポイントへユーザ特定のデータを送信し、および／またはアクセスポイントからユーザ特定のデータを受信し得る。一般に、各選択されたユーザ端末は、１つまたは複数のアンテナ（すなわち、Ｎｕｔ≧１）を装備し得る。Ｋ個の選択されたユーザ端末は、同じ数のアンテナを有することができ、または１つ以上のユーザ端末は、異なる数のアンテナを有し得る。
【００２４】
[0031]ＭＩＭＯシステム１００は、時分割複信（ＴＤＤ）システムまたは周波数分割複信（ＦＤＤ）システムであり得る。ＴＤＤシステムについて、ダウンリンクおよびアップリンクは、同じ周波数帯を共有する。ＦＤＤシステムについて、ダウンリンクおよびアップリンクは、異なる周波数帯を使用する。ＭＩＭＯシステム１００はまた、伝送信のために単一のキャリアまたは複数のキャリアを利用し得る。各ユーザ端末は、（例えば、コストダウンを保持するために）単一のアンテナが、または（例えば、付加的なコストがサポートされることが可能な場合）複数のアンテナが装備され得る。ユーザ端末１２０が送信／受信を異なる時間スロットに分割することによって同じ周波数チャネルを共有する場合、システム１００はまたＴＤＭＡシステムであり得、ここで、各タイムスロットは異なるユーザ端末１２０に割り当てられ得る。
【００２５】
[0032]図２は、ＭＩＭＯシステム１００におけるアクセスポイント１１０と２つのユーザ端末１２０ｍおよび１２０ｘのブロック図を指し示す。アクセスポイント１１０は、Ｎｔ個のアンテナ２２４ａ〜２２４ａｐで装備される。ユーザ端末１２０ｍは、Ｎｕｔ，ｍ個のアンテナ２５２ｍａ〜２５２ｍｕで装備されており、ユーザ端末１２０ｘは、Ｎｕｔ，ｘ個のアンテナ２５２ｘａ〜２５２ｘｕで装備されている。アクセスポイント１１０は、ダウンリンクのための送信エンティティおよびアップリンクのための受信エンティティである。ユーザ端末１２０は、アップリンクのための送信エンティティおよびダウンリンクのための受信エンティティである。本明細書において使用されるように、「送信エンティティ」は、ワイヤレスチャネルを介してデータを送信することが可能な独立して動作される装置またはデバイスであり、ならびに「受信エンティティ」は、ワイヤレスチャネルを介してデータを受信することが可能な独立して動作される装置またはデバイスである。以下の説明において、下付き文字「ｄｎ」は、ダウンリンクを意味し、下付き文字「ｕｐ」は、アップリンクを意味し、Ｎｕｐ個のユーザ端末が、アップリンク上での同時送信のために選択され、Ｎｄｎ個のユーザ端末が、ダウンリンク上での同時送信のために選択される。Ｎｕｐは、Ｎｄｎに等しいかもしれないし、または等しくないかもしれず、ＮｕｐおよびＮｄｎは、静的値であり得るか、または各スケジューリング間隔について変化し得る。ビームステアリングまたは何らかの他の空間処理技法が、アクセスポイント１１０および／またはユーザ端末１２０において使用され得る。
【００２６】
[0033]アップリンク上で、アップリンク送信のために選択された各ユーザ端末１２０において、ＴＸデータプロセッサ２８８は、データソース２８６からトラフィックデータを、コントローラ２８０から制御データを受け取る。読み取り専用メモリ（ＲＯＭ）とランダムアクセスメモリ（ＲＡＭ）の両方を含み得るメモリ２８２は、命令とデータをコントローラ２８０に提供する。ＴＸデータプロセッサ２８８は、ユーザ端末のために選択されたレートに関連付けられたコード化および変調スキームに基づいて、ユーザ端末のためのトラフィックデータを処理し（例えば、符号化し、インターリーブし、および変調し）、データシンボルストリームを提供する。ＴＸ空間プロセッサ２９０は、データシンボルストリームに関して空間処理を実行し、Ｎｕｔ，ｍ個のアンテナのためのＮｕｔ，ｍ個の送信シンボルストリームを提供する。各送信機ユニット（ＴＭＴＲ）２５４は、アップリンク信号を生成するために、それぞれの送信シンボルストリームを受けとって処理する（例えば、アナログに変換する、増幅する、フィルターする、および周波数アップコンバートする）。Ｎｕｔ，ｍ個の送信機ユニット２５４は、Ｎｕｔ，ｍ個のアンテナ２５２からの送信のため、例えば、アクセスポイント１１０に送信するために、Ｎｕｔ，ｍ個のアップリンク信号を提供する。
【００２７】
[0034]Ｎｕｐ個のユーザ端末は、アップリンク上での同時送信のためにスケジュールされ得る。これらのユーザ端末の各々は、そのそれぞれのデータシンボルストリーム上で空間処理を実行し、アップリンク上で、そのそれぞれの送信シンボルストリームのセットをアクセスポイント１１０に送信し得る。
【００２８】
[0035]アクセスポイント１１０において、Ｎuｐ個のアンテナ２２４ａ〜２２４ａｐは、アップリンク上で送信している全てのＮｕｐ個のユーザ端末からアップリンク信号を受信する。各アンテナ２２４は、受信した信号をそれぞれの受信機ユニット（ＲＣＶＲ）２２２に提供する。各受信機ユニット２２２は、送信機ユニット２５４によって実行されたことに相補的な処理を行い、受信したシンボルストリームを提供する。ＲＸ空間プロセッサ２４０は、Ｎｕｐ個の受信機ユニット２２２からのＮｕｐ個の受信されたシンボルストリームに関して受信機空間処理を実行し、Ｎｕｐ個の復元されたアップリンクデータシンボルストリームを提供する。受信機空間処理は、チャネル相関マトリックス逆変換（ＣＣＭＩ）、最小平均２乗誤差（ＭＭＳＥ）、ソフト干渉キャンセレーション（ＳＩＣ）、またはいくつかの他の技法に従って実行される。各復元されたアップリンクデータシンボルストリームは、それぞれのユーザ端末によって送信されるデータシンボルストリームの推定である。ＲＸデータプロセッサ２４２は、復号化されたデータを取得するために、そのストリームに使用されたレートに従って、各復元されたアップリンクデータシンボルストリームを処理する（例えば、復調する、デインタリーブする、および復号する）。各ユーザ端末に対して復号化されたデータは、記憶するためにデータシンク２４４におよび／またはさらに処理するためにコントローラ２３０に提供され得る。読み取り専用メモリ（ＲＯＭ）とランダムアクセスメモリ（ＲＡＭ）の両方を含み得るメモリ２３２は、命令とデータをコントローラ２３０に提供する。
【００２９】
[0036]ダウンリンク上で、アクセスポイント１１０において、ＴＸデータプロセッサ２１０は、ダウンリンク送信のためにスケジュールされたＮｄｎ個のユーザ端末のためのデータソース２０８からのトラフィックデータと、コントローラ２３０からの制御データと、場合によってはスケジューラ２３４からの他のデータとを受け取る。様々なタイプのデータが、異なる伝送チャネル上で送出され得る。ＴＸデータプロセッサ２１０は、そのユーザ端末のために選択されたレートに基づいて、各ユーザ端末のためのトラフィックデータを処理する（例えば、符号化する、インターリーブする、および変調する）。ＴＸデータプロセッサ２１０は、Ｎｄｎ個のユーザ端末に対してＮｄｎ個のダウンリンクデータシンボルストリームを提供する。ＴＸ空間プロセッサ２２０は、Ｎｄｎ個のダウンリンクデータシンボルストリームに関して（プリコーディングまたはビームフォーミングのような）空間処理を実行し、Ｎｕｐ個のアンテナのためのＮｕｐ個の送信シンボルストリームを提供する。各送信機ユニット２２２は、ダウンリンク信号を生成するために、それぞれの送信シンボルストリームをけ取って処理する。Ｎｕｐ個の送信機ユニット２２２は、Ｎｕｐ個のアンテナ２２４からの送信のため、例えば、ユーザ端末１２０に送信するために、Ｎｕｐ個のダウンリンク信号を提供し得る。
【００３０】
[0037]各ユーザ端末１２０において、Ｎｕｔ，ｍ個のアンテナ２５２は、アクセスポイント１１０からＮｕｐ個のダウンリンク信号を受信する。各受信機ユニット２５４は、関連するアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームに関して受信機空間処理を実行し、ユーザ端末１２０のための復元されたダウンリンクデータシンボルストリームを提供する。受信機空間処理は、ＣＣＭＩ、ＭＭＳＥ、またはいくつかの他の技法に従って実行され得る。ＲＸデータプロセッサ２７０は、ユーザ端末のための復号化されたデータを取得するために、復元されたダウンリンクデータシンボルストリームを処理する（例えば、復調する、デインタリーブする、および復号する）。復号化されたデータは、記憶するためにデータシンク２７２におよび／またはさらに処理するためにコントローラ２８０に提供され得る。
【００３１】
[0038]各ユーザ端末１２０において、チャネルエスティメータ２７８は、ダウンリンクチャネル応答を推定し、チャネル利得推定、信号対ノイズ比（ＳＮＲ）推定、ノイズ分散等々を含み得るダウンリンクチャネル推定を提供する。同様に、ＡＰ１１０におけるチャネルエスティメータ２２８は、ダウンリンクに対する推定と同様に、アップリンクチャネル応答を推定し、アップリンクチャネル推定を提供する。各ユーザ端末１２０のためのコントローラ２８０は、ユーザ端末のためのダウンリンクチャネル応答マトリックスＨｄｎ，ｍに基づいて、そのユーザ端末のための空間フィルタマトリックスを導出し得る。同様に、コントローラ２３０は、有効なアップリンクチャネル応答マトリックスＨｕｐ，ｅｆｆに基づいて、アクセスポイント１１０のための空間フィルタマトリックスを導出する。各ユーザ端末１２０のためのコントローラ２８０は、フィードバック情報（例えば、ダウンリンクおよび／またはアップリンクの固有ベクトル、固有値、ＳＮＲ推定、等々）をアクセスポイント１１０に送信し得る。コントローラ２３０および２８０はまた、それぞれアクセスポイント１１０とユーザ端末１２０において、様々な処理ユニットの動作を制御する。
【００３２】
[0039]図３は、ＭＩＭＯシステム１００内で採用され得るワイヤレスデバイス３０２中で利用され得る様々なコンポーネントを例証する。ワイヤレスデバイス３０２は、本明細書において説明される様々な方法を実装するように構成され得るデバイスの例である。ワイヤレスデバイス３０２は、アクセスポイント１１０またはユーザ端末１２０を実装し得る。
【００３３】
[0040]ワイヤレスデバイス３０２は、ワイヤレスデバイス３０２の動作を制御するプロセッサ３０４を含み得る。プロセッサ３０４はまた、中央処理ユニット（ＣＰＵ）と呼ばれ得る。読み取り専用メモリ（ＲＯＭ）とランダムアクセスメモリ（ＲＡＭ）の両方を含み得るメモリ３０６は、命令とデータをプロセッサ３０４に提供する。メモリ３０６の部分はまた、不揮発性ランダムアクセスメモリ（ＮＶＲＡＭ）を含み得る。プロセッサ３０４は、メモリ３０６内に記憶されたプログラム命令に基づいて、論理的および算術的演算を実行し得る。メモリ３０６中の命令は、本明細書において説明される方法を実装するために実施可能であり得る。
【００３４】
[0041]プロセッサ３０４は、１つ以上のプロセッサで実装される処理システムのコンポーネントを備え得、または、１つ以上のプロセッサで実装される処理システムのコンポーネントであり得る。１つ以上のプロセッサは、汎用マイクロプロセッサ、マイクロコントローラ、デジタル信号プロセッサ（ＤＳＰ）、フィールドプログラマブルゲートウェイアレイ（ＦＰＧＡ）、プログラマブル論理デバイス（ＰＬＤ）、コントローラ、状態機械、ゲート論理、ディスクリートハードウェアコンポーネント、専用ハードウェア有限状態機械、あるいは、情報の、計算または他の操作を実行できる何らかの他の適したエンティティの任意の組み合わせで実装され得る。
【００３５】
[0042]処理システムはまた、ソフトウェアを記憶する機械可読媒体を備え得る。ソフトウェア、ファームウェア、ミドルウェア、マイクロコード、ハードウェア記述言語、または、その他の方法で称されようと、ソフトウェアは、どのようなタイプの命令も意味するように広く解釈されるべきである。命令は、（例えば、ソースコードフォーマットでの、バイナリコードフォーマットでの、実施可能なコードのフォーマットでの、または、何らかの他の適したコードのフォーマットでの）コードを含み得る。命令は、１つ以上のプロセッサによって実施されるとき、本明細書において説明される様々な機能を処理システムに実行させる。
【００３６】
[0043]ワイヤレスデバイス３０２はまた、ワイヤレスデバイス３０２と別のデバイスとの間でデータの送信および受信を許容するために、送信機３１０と受信機３１２とを含み得るハウジング３０８を含み得る。送信機３１０と受信機３１２は、トランシーバ３１４中に組み込まれ得る。単一のまたは複数のトランシーバアンテナ３１６は、ハウジング３０８に取り付けられ、電気的にトランシーバ３１４に結合され得る。ワイヤレスデバイス３０２はまた、複数の送信機、複数の受信機、および複数のトランシーバ（図示せず）を含み得る。
【００３７】
[0044]ワイヤレスデバイス３０２はまた、トランシーバ３１４によって受信された信号のレベルを検出および定量化するために使用され得る信号検出器３１８を含み得る。信号検出器３１８は、総エネルギー、シンボル毎のサブキャリア当たりのエネルギー、電力スペクトル密度、他の信号としてそのような信号とを検出し得る。ワイヤレスデバイス３０２はまた、信号を処理する際に使用するためのデジタル信号プロセッサ（ＤＳＰ）３２０を含み得る。
【００３８】
[0045]ワイヤレスデバイス３０２の様々なコンポーネントは、データバスに加えて、電力バス、制御信号バス、および状態信号バスを含み得るバスシステム３２２によって共に結合され得る。
【００３９】
[0046]本開示のある態様は、アップリンク（ＵＬ）信号を、複数のＳＴＡから、ＡＰまたは他のデバイスに送信することをサポートする。いくつかの実施形態において、ＵＬ信号は、多ユーザＭＩＭＯ（ＭＵ−ＭＩＭＯ）システムにおいて送信され得る。代替的に、ＵＬ信号は、多キャリアＦＤＭＡ（ＭＣ−ＦＤＭＡ）または同様のＦＤＭＡシステムにおいて送信され得る。特に、図４−６は、他のＳＴＡが、それらの独自のＵＬ−ＭＵ−ＭＩＭＯ送信またはＵＬ−ＦＤＭＡ送信を同時に送出するのと一緒に、ＳＴＡからＡＰに送信されるＵＬ−ＭＵ ＰＰＤＵパケット４１０を例証する。いくつかの実施形態において、ＡＰにおけるセカンダリーチャネルに関するクリアチャネルアセスメント（ＣＣＡ）のチェックに依存して、利用可能な帯域幅（ＢＷ）の動的な選択を含むチャネルアクセスルールでもって、トリガーメッセージが送出され得る。ＡＰは、ＵＬ送信について、各ＳＴＡ毎に送信チャネルおよびストリームを定義し得る。複数のＳＴＡからＡＰに同時に送出されるＵＬ−ＭＵ−ＭＩＭＯ送信またはＵＬ−ＦＤＭＡ送信は、ワイヤレス通信において、効率を創生し得る。
【００４０】
[0047]いくつかの実施形態において、チャネルの帯域幅の少なくとも一部分が利用可能であるか、またはＳＴＡのクリアチャネルアセスメント（ＣＣＡ）がチャネルまたは媒体がビジーであることを指示するか、に拘わらず、２つ以上のＳＴＡは、ＡＰ１１０からフレームを受信するのに応答して、それらのＵＬ−ＭＵ−ＭＩＭＯ送信またはＵＬ−ＦＤＭＡ送信を送信し得る。いくつかの態様において、チャネルの帯域幅の少なくとも一部分が利用可能であるか、またはＳＴＡのＣＣＡに拘わらず、ＡＰ１１０は、ＡＰ１１０からフレームを受信するのに応答して、２つ以上のＳＴＡが、それらのＵＬ−ＭＵ−ＭＩＭＯ送信またはＵＬ−ＦＤＭＡ送信を送信すべきであることを指示するために、フラグを設定し得、または、フレーム中のフィールドを、ある値に設定し得る。いくつかの態様において、チャネルの帯域幅の少なくとも一部分が利用可能であるか、またはＳＴＡのＣＣＡがチャネルまたは媒体がビジーであることを指示するか、に拘わらず、２つ以上のＳＴＡは、ＡＰ１１０からフレームを受信するのに応答して、それらのＵＬ−ＭＵ−ＭＩＭＯ送信またはＵＬ−ＦＤＭＡ送信を送信するように予め構成され得る。そのようなアップリンク送信は、チャネルの帯域幅、またはチャネルの帯域幅の一部分がビジーである場合、失敗し得る。
【００４１】
[0048]ＳＴＡはまた、アップリンク通信を送信する前に、ネットワーク割り振りベクトル（ＮＡＶ）をチェックし得る。ＣＣＡ／ＮＡＶチェックは、損なわれた受信結果となり得るビジーな媒体上での送信を回避することに多分有効である。ＣＣＡ／ＮＡＶチェックはまた、隣接するＳＴＡまたは他のデバイスへの／からの干渉を制限することを手助けし得る。例えば、複数のＳＴＡからのＵＬ−ＭＵ送信は、複数の送信からの増加され統合された電力の結果となり得、それゆえ、増加した干渉エネルギーレベルを生じ得るであろう。
【００４２】
[0049]従って、ＳＴＡにとって、ＵＬ−ＭＵ−ＭＩＭＯ、ＵＬ−ＦＤＭＡ送信または他のＵＬ送信を送信する前に、ＣＣＡチェックおよび／またはＮＡＶチェックを使用して、チャネルまたは媒体の状態を決定することは有益であり得る。ＮＡＶをチェックすることは、ある時間の期間の間、媒体を確保しておく、メッセージの媒体アクセス制御（ＭＡＣ）ヘッダー部分における値を読み取ることを備え得る。ＣＣＡをチェックすることは、チャネル上または媒体上での物理状態またはエネルギーレベルをチェックすることを備え得る。いくつかの実施形態において、ＣＣＡは、ミッドパケット検出方法を使用してチェックされ得る。ＣＣＡのミッドパケット検出は、媒体上に既にあるパケットを検出することに基づき、かつ、いずれかのエネルギー検出（例えば、媒体上のエネルギーがしきい値を満足することを検出すること）にさらに基づく、またはそれらのパケットのガードインターバル（ＧＩ）検出（例えば、ＧＩがアイドルであるかを検出すること）に基づく、ことができる。ミッドパケット検出について、いくつかの実施形態において、媒体上のエネルギーまたはＧＩは、連続的にモニターされる。
【００４３】
[0050]いくつかの実施形態において、ＣＣＡは、プリアンブル検出方法を使用してチェックされ得る。プリアンブル検出方法において、メッセージのプリアンブルは、送信されるパケットの持続時間の指示を含み得る。プリアンブルを読み出すデバイスは、次いで、その持続時間の間、媒体がビジーと考えられることを決定し得る。いくつかの態様において、デバイスは、何らかのプリアンブル（例えば、隣接するＢＳＳによって送出されたプリアンブル、または受信電力制限またはＰＨＹモードのタイプのような、何らかの判定基準（criteria）を満たすプリアンブル）を読み出し、無視し得、そのデバイスによって、媒体はビジーとは考えられないであろう。
【００４４】
[0051]いくつかの実施形態において、ＡＰ１１０は、ＳＴＡが、ＵＬ−ＦＤＭＡ送信またはＵＬ−ＭＵ−ＭＩＭＯ送信を送信する要求を含むメッセージを送信し得る。図４は、ＵＬ−ＦＤＭＡ送信またはＵＬ−ＭＵ−ＭＩＭＯ送信に制限されず、これらの送信を含むＵＬ通信のために使用され得る、ＵＬ−ＭＵ／ＭＣプロトコル４００の例を例証する時間シーケンス図である。図４に指し示され、および図１に関連して、ＡＰ１１０は、２つ以上のＳＴＡ（例えば、ＵＴ１２０）がＵＬ−ＦＤＭＡスキームまたはＵＬ−ＭＵ−ＭＩＭＯスキームに参加し得ることを指示するトリガーメッセージ４０２を、２つ以上のＳＴＡに送信し得る。トリガーメッセージ４０２を受信後、かつフレーム間空間（ＩＦＳ）時間４１５の後に、２つ以上のＳＴＡのうちのＳＴＡ １は、他のＳＴＡのＵＬ−ＭＵ ＰＰＤＵパケットとともに、同時にＵＬ−ＭＵ ＰＰＤＵパケット４１０を送信する。上述のように、ＳＴＡ １は、ＵＬ−ＦＤＭＡスキームまたはＵＬ−ＭＵ−ＭＩＭＯスキームを使用して、ＵＬ−ＭＵ ＰＰＤＵパケット４１０を送信し得る。
【００４５】
[0052]いくつかの実施形態において、ＳＴＡがトリガーメッセージ４０２を受信後、かつＳＴＡがＵＬ−ＭＵ ＰＰＤＵパケット４１０を送出する前、のフレーム間空間（ＩＦＳ）時間４１５の間に、ＳＴＡはＣＣＡをチェックし得る。図５は、ＵＬ通信のために使用され得るアップリンク多ユーザ／多キャリア（ＵＬ−ＭＵ／ＭＣ）プロトコル５００の例を例証する時間シーケンス図である。図５において例証されるＵＬ−ＭＵ／ＭＣプロトコル５００は、図４において例証されたＵＬ−ＭＵ／ＭＣプロトコル４００と同様であり、ＵＬ−ＭＵ／ＭＣプロトコル４００から改変されている。両方に共通する要素は、共通基準しるし（indicia）を共有し、簡潔さのために、プロトコル４００および５００間の相違のみが、本明細書において説明される。
【００４６】
[0053]図５において指し示されるように、ＳＴＡ １は、ＩＦＳ時間４１５の間に、ＣＣＡチェック５２５を実行する。いくつかの態様において、ＩＦＳ時間４１５は、短いフレーム間空間（ＳＩＦＳ）またはポイントコーディネーション機能（ＰＣＦ）フレーム間空間（ＰＩＦＳ）時間を備え得る。いくつかの態様において、ＩＦＳ時間４１５は、ＴＩＦＳ（または、フレーム間空間時間）と呼ばれる２０マイクロ秒（μｓ）時間期間を備え得る。いくつかの実施形態において、ＣＣＡチェックは、バックグランド測定プロセスであり得、応答ＵＬ−ＭＵ ＰＰＤＵパケット４１０を開始する直前にサンプリングされ得る。いくつかの実施形態において、ＣＣＡチェック５２５は、帯域幅の各２０ＭＨｚチャネル（または、より小さいかより大きいチャネル）上で独立して実行され得、または帯域幅全体にわたって実行され得る。上述のように、ＣＣＡチェック５２５は、エネルギー検出方法またはＧＩ検出方法を使用し得る。
【００４７】
[0054]いくつかの実施形態において、ＳＴＡがトリガーメッセージ４０２を受信する前、かつＳＴＡがＵＬ−ＭＵ ＰＰＤＵパケット４１０を送出する前に、ＳＴＡはＣＣＡをチェックし得る。図６は、ＵＬ通信のために使用され得るＵＬ−ＭＵ／ＭＣプロトコル６００の例を例証する時間シーケンス図である。図６において例証されるＵＬ−ＭＵ／ＭＣプロトコル６００は、図５において例証されたＵＬ−ＭＵ／ＭＣプロトコル５００と同様であり、ＵＬ−ＭＵ／ＭＣプロトコル５００から改変されている。両方に共通する要素は、共通基準しるしを共有し、簡潔さのために、プロトコル５００および６００間の相違のみが、本明細書において説明される。
【００４８】
[0055]図６に指し示されるように、ＳＴＡ １は、トリガーメッセージ４０２を受信する前に、ＣＣＡチェック５２５を実行する。ＳＴＡ １は、連続的にチャネルのエネルギーレベル（または、ＧＩ）をモニターし得、エネルギーレベル（または、ＧＩ）の測定値を記憶し得る。ＳＴＡ １がトリガーメッセージ４０２を受信するとき、ＳＴＡ １は、トリガーメッセージ４０２の受信前の時間期間６０５の間に、ＣＣＡチェック５２５の測定または状態をルックバック（look back）する。いくつかの実施形態において、時間期間６０５は、媒体上の先行するフレームの終わりとトリガーメッセージ４０２との間の、ＳＩＦＳ、ＰＩＦＳ、またはＴＩＦＳ時間期間を備え得る。いくつかの態様において、時間期間は、トリガーメッセージ４０２の前の、より長いまたはより短い時間期間を備え得る。トリガーメッセージ４０２の受信前の時間期間６０５の間のＣＣＡチェック５２５に基づいて、ＳＴＡ １は、ＳＴＡ １のＵＬ−ＭＵ ＰＰＤＵパケット４１０を送出するか否かを決定し得る。
【００４９】
[0056]いくつかの実施形態において、ＣＣＡチェック５２５を実行した後、ＳＴＡ １は、ＳＴＡ １のＵＬ−ＭＵ ＰＰＤＵパケット４１０を送出するか、または送出することを控えるかを決定し得る。ＵＬ−ＭＵ−ＭＩＭＯスキームにおいて、ＳＴＡ １は、８０ＭＨｚまたは他の大きさの帯域幅（例えば、２０または４０ＭＨｚ）上で、トリガーメッセージ４０２を受信し得る。トリガーメッセージ４０２は、ＵＬ−ＭＵ−ＭＩＭＯ ＰＰＤＵを送信するＳＴＡが、８０ＭＨｚ帯域幅全体にわたって送信すべきであることを指示し得る。いくつかの態様において、ＳＴＡ １は、ＣＣＡチェック５２５を、８０ＭＨｚ帯域幅全体上で、または帯域幅のより小さいセグメントの各々上で、実行する。例えば、ＳＴＡは、８０ＭＨｚ帯域幅のうちの各２０ＭＨｚまたは４０ＭＨｚチャネルをチェックし得る。ＳＴＡ １が、８０ＭＨｚ帯域幅上で、ＣＣＡを如何にチェックするかに拘わらず、いくつかの実施形態において、８０ＭＨｚ帯域幅全体がアイドルである場合のみ、ＳＴＡ １は、ＵＬ−ＭＵ ＰＰＤＵパケット４１０を送信する。
【００５０】
[0057]ＵＬ−ＦＤＭＡスキームまたはＵＬ−ＯＦＤＭＡスキームにおいて、８０ＭＨｚ（または他の大きさの）帯域幅全体にわたって、ＳＴＡ １はトリガーメッセージ４０２を受信し得る。いくつかの実施形態において、ＳＴＡ １のアップリンク送信について、ＡＰ１１０は、８０ＭＨｚ帯域幅の一部分をＳＴＡ １に割り振りし得る。例えば、ＳＴＡ １のアップリンク送信について、トリガーメッセージ４０２は、ＳＴＡ １が８０ＭＨｚ帯域幅のうちの５ＭＨｚを割り振りされたという指示を含み得る。いくつかの態様において、ＳＴＡ １は、８０ＭＨｚ帯域幅全体にわたってＣＣＡチェック５２５を実行し得、８０ＭＨｚ帯域幅全体がアイドルである場合のみ、ＳＴＡ １のＵＬ−ＯＦＤＭＡ ＰＰＤＵを送信し得る。他の態様において、ＳＴＡ １は、ＳＴＡ １のＵＬ−ＯＦＤＭＡ ＰＰＤＵを送信するために、５ＭＨｚが割り振りされ得る。ＳＴＡ １は、帯域幅の１つ以上の２０ＭＨｚチャネルにわたってＣＣＡチェック５２５を実行し得、ＳＴＡ １の割り振りされた５ＭＨｚ帯域幅を包含する２０ＭＨｚチャネル全体がアイドルである場合のみ、ＳＴＡ １のＵＬ−ＯＦＤＭＡ ＰＰＤＵを送信し得る。
【００５１】
[0058]いくつかの実施形態において、ＡＰ１１０は、ある帯域幅および／または空間ストリームを、各ＳＴＡに割り振りし得る。いくつかの態様において、他のＳＴＡが割り当てられた帯域幅またはストリームの一部分を使用しているので、いくつかのＳＴＡは、帯域幅またはストリームの全体を使用することが出来ないかもしれない。いくつかの実施形態において、割り振りされた帯域幅の一部分が送信のために利用可能であるかを決定するために、ＳＴＡは、帯域幅全体、または帯域幅の各チャネルにわたって、ＣＣＡチェック５２５を実行し得る。ＳＴＡは、次いで、アイドルである(すなわち、送信のために利用可能である)割り振りされた帯域幅の一部分にわたって、ＳＴＡのＵＬ−ＭＵ ＰＰＤＵを送信することを選択し得る。例えば、図５において、ＳＴＡ １は、ＳＴＡ １のＵＬ−ＭＵ ＰＰＤＵパケット４１０のために、ＳＴＡ １に８０ＭＨｚを割り振るトリガーメッセージ４０２を受信し得る。ＳＴＡ １は、次いで、ＣＣＡチェック５２５を実行し得、８０ＭＨｚ帯域幅の上部の４０ＭＨｚのみが送信のために利用可能であり、下部の４０ＭＨｚはビジーであることを決定し得る。いくつかの実施形態において、ＳＴＡ １は、ＳＴＡ １のＵＬ−ＭＵ ＰＰＤＵパケット４１０を、上部の４０ＭＨｚにわたって送信し得、８０ＭＨｚ帯域幅の下部の４０ＭＨｚにわたって送信することを控え得る。１つの態様において、送信帯域幅は、プライマリーチャネルを含まなくてはならない。
【００５２】
[0059]いくつかの実施形態において、ＡＰ１１０は、各ＳＴＡに対して割り振りされた帯域幅に依存して、各ＳＴＡに対して、予め指定されたチャネルを割り当て得る。予め指定されたチャネルはまた、ＡＰおよび／またはＳＴＡによって定義され得、１つ以上の基本チャネルを備え得る。例えば、ＳＴＡは、２つの２０ＭＨｚ基本チャネルを有する４０ＭＨｚが割り当てられ得る。ＳＴＡおよびＡＰは、４０ＭＨｚ全体の一部分が利用可能でないとき、ＳＴＡが下部の２０ＭＨｚ（すなわち、予め指定されたチャネル)上で送信すべきであることに同意し得る。いくつかの実施形態において、ＡＰは、送信のために、割り振りされた帯域幅全部または予め指定されたチャネル上で検索することだけが必要であるので、予め指定されたチャネルは、ＡＰがＳＴＡからのＵＬ送信についてより迅速に検索することを許容する。各予め指定されたチャネルは、ＳＴＡの割り振りされたチャネル内に包含され得る。この態様において、ＳＴＡが、ＳＴＡの予め指定されたチャネルはビジーであると見る場合、ＳＴＡはＵＬ送信を送出しないであろう。他の実施形態において、ＡＰ１１０は、ＳＴＡに対して、１つより多い予め指定されたチャネルを定義し得、そのような予め指定されたチャネルは、２０ＭＨｚよりも小さいチャネルを備え得る。例えば、ＡＰ１１０は、２０ＭＨｚの予め指定されたチャネル、および５ＭＨｚの予め指定されたチャネルを定義するかもしれない。２０ＭＨｚの予め指定されたチャネルが利用可能でないが、５ＭＨｚの予め指定されたチャネルは利用可能である場合、ＳＴＡは、５ＭＨｚの予め指定されたチャネルを使用するかもしれない。別の実施形態において、ＡＰ１１０は、予め指定されたチャネルを定義しないかもしれず、ＳＴＡは、ＳＴＡのそれぞれの利用可能な帯域幅の何れか上で送信し得る。
【００５３】
[0060]ＳＴＡ １はまた、ＮＡＶに基づいて、ＳＴＡ １のＵＬ−ＭＵ ＰＰＤＵパケット４１０を送信するかを決定し得る。ＳＴＡ １は、ＭＡＣヘッダー中の持続時間フィールドを含む受信された任意のパケットに基づいて、ＳＴＡ １のＮＡＶを設定し得る。ＵＬ−ＭＵ−ＭＩＭＯ送信について、ＳＴＡ １は、他の基本チャネル（すなわち、セカンダリーチャネル）上で復号されたパケットでなく、予め指定されたチャネル（すなわち、プライマリーチャネル）上で復号されたパケットに基づいて、ＮＡＶをチェックし得る。ＵＬ−ＯＦＤＭＡ送信について、いくつかの態様において、ＳＴＡ １は、予め指定されたチャネル(すなわち、プライマリーチャネル)上で復号されたパケットに基づいて、ＮＡＶをチェックし得る。他の態様において、ＡＰ１１０は、ＵＬ−ＯＦＤＭＡ送信について、他の基本チャネル（すなわち、セカンダリーチャネル）を割り当てし得る。この態様において、ＳＴＡ １は、予め指定されたチャネル（すなわち、プライマリーチャネル）に代わって、または、に加えて、割り当てられた基本チャネル（すなわち、セカンダリーチャネル）上で復号されたパケットに基づいて、ＮＡＶをチェックし得る。
【００５４】
[0061]いくつかの実施形態において、ＳＴＡ １は、ＳＴＡ １が、トリガーメッセージ４０２を受信する時間において、ＮＡＶをチェックし得る。トリガーメッセージ４０２を受信し、ＮＡＶをチェックすることに応答して、いくつかの態様において、ＳＴＡ １は、いかなるＮＡＶ制約も無視することを選択し、（実行された場合）ＣＣＡチェック５２５のみに基づいて、ＳＴＡ １のＵＬ−ＭＵ ＰＰＤＵパケット４１０を送信し得る。他の態様において、そこでＵＬ−ＭＵ ＰＰＤＵパケット４１０送信がまたがるチャネル中のうちの任意のものにＮＡＶが設定される場合、ＳＴＡ １は、ＮＡＶに遵守し、送信しないように決定し得る。例えば、ＵＬ−ＭＵ−ＭＩＭＯ送信は、予め指定されたチャネル（すなわち、プライマリーチャネル）にまたがることが見込まれ、ＮＡＶが、予め指定されたチャネル上に設定された場合、ＳＴＡ １は、ＵＬ−ＭＵ ＰＰＤＵパケット４１０を送信しないであろう。同様に、ＵＬ−ＯＦＤＭＡ送信について、上記で論述されたように、ＵＬ送信は、予め指定されたチャネル（すなわち、プライマリーチャネル）、または割り当てられた基本チャネル（すなわち、セカンダリーチャネル）にまたがり得る。ＮＡＶが、予め指定されたチャネル（すなわち、プライマリーチャネル）上で、または割り当てられた基本チャネル上で設定された場合、ＳＴＡ １は、ＵＬ−ＭＵ ＰＰＤＵパケット４１０を送信しないかもしれない。
【００５５】
[0062]いくつかの実施形態において、ＵＬ−ＭＵ ＰＰＤＵパケット４１０は、混合されたＵＬ−ＭＵ−ＭＩＭＯ／ＵＬ−ＯＦＤＭＡ送信を備え得る。いくつかの態様において、ＵＬ−ＭＵ−ＭＩＭＯ送信は、ＵＬ−ＯＦＤＭＡ基本チャネル（すなわち、サブチャネル）のうちの１つ内で生じ得る。そのようなケースにおいて、混合されたＵＬ−ＭＵ−ＭＩＭＯ／ＵＬ−ＯＦＤＭＡ送信は、上記に説明されたＵＬ−ＯＦＤＭＡルールに従う。
【００５６】
[0063]いくつかの実施形態において、ＳＴＡ １は、ある判定基準に基づいて、ＣＣＡチェック５２５および／またはＮＡＶチェックを実行し得る。いくつかの態様において、ＳＴＡ １は、ＵＬ−ＭＵ ＰＰＤＵパケット４１０の持続時間に基づいて、ＣＣＡチェック５２５および／またはＮＡＶチェックを実行し得る。例えば、ＳＴＡ １は、ＵＬ−ＭＵ ＰＰＤＵパケット４１０持続時間が、あるしきい値を超える場合のみ、ＣＣＡチェック５２５および／またはＮＡＶチェックを実行し得る。
【００５７】
[0064]いくつかの態様において、ＳＴＡ １は、各ＳＴＡに対して設定された特定の送信パラメータに基づいて、ＳＴＡ １のＵＬ−ＭＵ ＰＰＤＵパケット４１０を送信し得る。例えば、ＳＴＡ １は、ＧＩ、帯域幅、送信（ＴＸ）電力、変調およびコード化スキーム（ＭＣＳ）、ＴＸ時間、他のＳＴＡの識別性、送信されるであろうデータの量、およびパディング（padding）を除くデータの推定された持続時間、のうちの１つ以上に基づいて、ＳＴＡ １のＵＬ−ＭＵ ＰＰＤＵパケット４１０を送信し得る。ＳＴＡ １は、ＵＬ−ＭＵ ＰＰＤＵパケット４１０をＡＰ１１０に送信するかを決定するために、ＣＣＡチェック５２５またはＮＡＶチェックに加えて、送信パラメータ要件を使用し得る。
【００５８】
[0065]いくつかの実施形態において、上記に説明されたＣＣＡチェック５２５および／またはＮＡＶチェックについての、またはＵＬ−ＭＵ ＰＰＤＵパケット４１０を送信するかの決定のためにＳＴＡ １によって使用される任意の他のパラメータについての、要件およびしきい値は、ＡＰ１１０によって決定され得、トリガーメッセージ４０２、ビーコンフレーム、および管理フレーム（例えば、関連応答）のうちの１つ以上中で指示され得る。いくつかの態様において、ＣＣＡチェック５２５および／またはＮＡＶチェックについての、またはＵＬ−ＭＵ ＰＰＤＵパケット４１０を送信するかを決定するためにＳＴＡ １によって使用される任意の他のパラメータについての、要件およびしきい値は、８０２．１１プロトコルにおいて予め決定され得る。既定のネットワーク中のＡＰが、オーバーラップする基本サービスセット（ＯＢＳＳ）にわたってネットワークの動作を調整および最適化することができ得るので、ＡＰ１１０が要件およびしきい値を決定することを許容することは有益であり得る。そのような調整は、ＡＰが、ＳＴＡに対する適切なＣＣＡしきい値を選択することを許容し、トリガーメッセージ４０２または他のメッセージ中に、選択されたしきい値または他のパラメータを含み得る。いくつかの態様において、ＡＰ１１０は、受信機（例えば、ＳＴＡ １）の周囲で媒体がアイドルである確率が高くなるように、トリガーメッセージ４０２を送出するために感度の良いＣＣＡを使用し得る。そのような実施形態において、ＡＰ１１０は、ＳＴＡを、ＣＣＡ／ＮＡＶをチェックすることから免除し得る。
【００５９】
[0066]図７は、本明細書において説明されるある実施形態に従うワイヤレス通信のための例示的方法７００のフローチャートである。方法７００において説明されるように、ＡＰ（例えば、ＡＰ１１０）は、メッセージを２つ以上のＳＴＡまたはユーザ端末１２０に送信するが、他の実施形態において、方法７００で説明された通信は、２つ以上のＡＰ１１０、２つ以上のＳＴＡ、またはＡＰ１１０およびＳＴＡ（または、ユーザ端末１２０）の任意の組み合わせ間で生じ得る。
【００６０】
[0067]動作ブロック７０５において、ＡＰ１１０は、２つ以上の局がアップリンク送信を送出するために、トリガーメッセージ（例えば、トリガーメッセージ４０２）を、２つ以上の局に送出する。いくつかの実施形態において、トリガーメッセージは、クリアツートランスミット（ＣＴＸ）メッセージを備え得る。いくつかの実施形態において、ブロック７１０で、トリガーメッセージ４０２を受信する局（例えば、ＳＴＡ １）は、トリガーメッセージ４０２を受信する前に、ＣＣＡチェック（例えば、ＣＣＡチェック５２５）を実行し得る。ＳＴＡ １は、連続的に媒体のエネルギーレベル（または、ＧＩ）をモニターし得、エネルギーレベルの測定値を記憶し得る。ＳＴＡ １が、トリガーメッセージ４０２を受信するとき、ＳＴＡ １は、媒体がビジーであるかを決定するために、トリガーメッセージ４０２の受信前の時間期間の間に、ＣＣＡチェック５２５の測定または状態をルックバックする。いくつかの実施形態において、ブロック７１５において、トリガーメッセージ４０２受信後、かつアップリンク送信（例えば、ＵＬ−ＭＵ ＰＰＤＵパケット４１０）送出前に、ＳＴＡ １は、ＣＣＡチェック５２５を実行する。いくつかの実施形態において、ＳＴＡ １は、ＵＬ−ＭＵ ＰＰＤＵパケット４１０持続時間が、あるしきい値を満足する場合のみに、ＣＣＡチェック５２５を実行し得る。ＳＴＡ １がＣＣＡチェック５２５を実行した後、ブロック７２０において、ＳＴＡは、媒体がビジーであるかアイドルであるかをＣＣＡチェック５２５が指示しているかを決定する。いくつかの実施形態において、ＳＴＡ １は、帯域幅全体にわたって、または帯域幅の各々のチャネル上で、ＣＣＡをチェックし得る。媒体がビジーであることをＣＣＡが指示していると、ＳＴＡ １が決定する場合、ブロック７４０において、ＳＴＡ １は、ＵＬ−ＭＵ ＰＰＤＵパケット４１０を送出しない。いくつかの実施形態において、ＳＴＡ １は、ビジーである帯域幅の一部分上でのみＵＬ−ＭＵ ＰＰＤＵパケット４１０を送出することを控え得、利用可能またはアイドルである帯域幅の一部分上でＵＬ−ＭＵ ＰＰＤＵパケット４１０を送信し得る。
【００６１】
[0068]媒体がビジーでないことをＣＣＡチェック５２５が指示する場合、ブロック７２５において、ＳＴＡ １は、媒体がビジーであるかを決定するために、ＮＡＶをチェックし得る。いくつかの実施形態において、ＣＣＡチェック５２５およびＮＡＶチェックは並行して実行される。いくつかの実施形態において、ＳＴＡ １は、予め指定されたチャネル（すなわち、プライマリーチャネル）上で、またはプライマリーチャネル以外の割り当てられたチャネル（すなわち、セカンダリーチャネル）上でのみ、ＮＡＶをチェックする。媒体がビジーであることをＮＡＶチェックが指示する(すなわち、ＮＡＶが設定されている)場合、ブロック７４０において、ＳＴＡ １は、ＵＬ−ＭＵ ＰＰＤＵパケット４１０を送出しない。媒体がビジーでないことをＮＡＶチェックが指示する場合、ブロック７３０において、ＳＴＡ １は、任意の他の送信要件が満たされているかを見るためにチェックする。いくつかの実施形態において、ＳＴＡ １は、いかなるＮＡＶ制約も無視し得、ブロック７２５におけるＮＡＶチェックに拘わらず、ブロック７３０に進み得る。いくつかの実施形態において、送信要件は、ＧＩ、帯域幅、送信（ＴＸ）電力、変調およびコード化スキーム（ＭＣＳ）、ＴＸ時間、他のＳＴＡの識別性、送信されるであろうデータの量、およびパディングを除くデータの推定された持続時間、のうちの１つ以上が、あるしきい値を満足するかに基づき得る。送信パラメータ要件が満足されない場合、ブロック７４０において、ＳＴＡ １は、ＵＬ−ＭＵ ＰＰＤＵパケット４１０を送出しない。送信パラメータ要件が満足される場合、または要件が無い場合、ブロック７３５において、ＳＴＡ １は、ＵＬ−ＭＵ ＰＰＤＵパケット４１０を送出する。
【００６２】
[0069]図８は、本明細書において説明されるある実施形態に従うワイヤレス通信のための例示的方法８００のフローチャートである。方法８００は、上記に説明されたメッセージのうちの任意のものを生成し、送信するために使用され得る。図１において指し示されるように、メッセージは、ユーザ端末１２０のうちの１つ以上によって、ＡＰ１１０に送信され得る。加えて、図３において指し示されるワイヤレスデバイス３０２は、上記に説明されたように、ＡＰ１１０、ユーザ端末１２０、またはＳＴＡ １および２のより詳細なビューを表し得る。よって、１つの実装において、フローチャート８００におけるステップのうちの１つ以上は、図３のプロセッサ３０４および送信機３１０のような、プロセッサおよび／または送信機によって、またはそれらに関連して実行され得るが、当業者は、他のコンポーネントが、本明細書において説明されるステップのうちの１つ以上を実装するために使用され得ることを理解するであろう。
【００６３】
[0070]動作ブロック８０５において、ユーザ端末１２０は、２つ以上の局に対する、アップリンク送信を同時に送信する要求を備えるメッセージを受信し得る。動作ブロック８１０において、ユーザ端末１２０は、クリアチャネルアセスメント（ＣＣＡ）およびネットワーク割り振りベクトル（ＮＡＶ）のうちの少なくとも１つに基づいて、媒体の状態を決定し得る。いくつかの実施形態において、媒体の状態を決定するために、ユーザ端末１２０は、ＣＣＡチェックまたはＮＡＶチェックを実行し得る。動作ブロック８１５において、ユーザ端末１２０は、媒体の状態の指示に基づいて、またはメッセージ中に含まれる指示に基づいて、アップリンク送信を選択的に送信し得る。
【００６４】
[0071]いくつかの実施形態において、ワイヤレス通信のための装置は、方法８００の機能のうちの１つ以上を実行し得る。いくつかの実施形態において、装置は、２つ以上の局に対する、アップリンク送信を同時に送信する要求を備えるメッセージを受信するための手段を備え得る。装置は、クリアチャネルアセスメント（ＣＣＡ）またはネットワーク割り振りベクトル（ＮＡＶ）に基づいて、媒体の状態を決定するための手段をさらに備え得る。装置は、媒体の状態の指示に基づいて、アップリンク送信を選択的に送信するための手段をさらに備え得る。いくつかの実施形態において、受信するための手段は、図３の受信機３１２を備え得る。いくつかの実施形態において、チェックするための手段は、プロセッサ３０４またはＤＳＰ３２０を備え得る。いくつかの実施形態において、選択的に送信する手段は、送信機３１０を備える。
【００６５】
[0072]当業者であれば、情報および信号が、種々の異なる技術および技法の何れかを使用して表され得ることを理解するであろう。例えば、上記の説明全体を通して参照されることができる、データ、命令、コマンド、情報、信号、ビット、シンボル、およびチップは、電圧、電流、電磁波、磁界または磁気粒子、光場または光粒子、あるいはこれらの任意の組み合わせによって表わされることができる。
【００６６】
[0073]本開示に説明される実装への様々な修正が、当業者には容易に明らかであり、本明細書において定義される包括的な原理が、本開示の精神または範囲から逸脱することなく他の実装に適用されることができる。よって、本開示は、本明細書に示される実装に限定されるように意図されず、本明細書において開示される特許請求の範囲、原理、および新規な特徴と一致する最も広い範囲を与えられるべきである。用語「例示的」は、本明細書においては、「例、事例、または実例としての役割を果たす」と、排他的に使用される。「実例的な」ものとして、本明細書において説明される任意の実装は、他の実装に対して好ましいまたは有利なものとして必ずしも解釈されるべきではない。
【００６７】
[0074]別個の実装のコンテキストにおいて本明細書において説明されるある特徴は、また、単一の実装と組み合わせて実装されることができる。反対に、単一の実装のコンテキストにおいて説明される様々な特徴はまた、複数の実装で別々に、または任意の適したサブコンビネーションで実装されることができる。さらにまた、特徴は、ある組み合わせで作用するように上記に説明され、またそのように最初に特許請求さえもされることができるが、特許請求される組み合わせからの１つ以上の特徴は、いくつかのケースにおいて、その組み合わせから削除されることができ、特許請求される組み合わせは、サブコンビネーション、またはサブコンビネーションの変形に向けられることができる。
【００６８】
[0075]上記に説明された方法の様々な動作は、様々なハードウェアのおよび／またはソフトウェアのコンポーネント、回路、および／またはモジュールのような、それらの動作を実行することができる任意の適した手段によって実行され得る。一般的に、図面中に例証された任意の動作は、それらの動作を実行することができる対応する機能的手段によって実行され得る。
【００６９】
[0076]本開示に関連して説明される、様々な例示的な論理ブロック、モジュール、および回路は、本明細書において説明される機能を実行するように設計された、汎用プロセッサ、デジタルシグナルプロセッサ（ＤＳＰ）、特定用途向け集積回路（ＡＳＩＣ）、フィールドプログラマブルゲートアレイシグナル（ＦＰＧＡ）、または他のプログラマブル論理デバイス（ＰＬＤ）、ディスクリートゲートまたはトランジスタ論理、ディスクリートハードウェアコンポーネント、またはそれらの任意の組み合わせを用いて、実装または実行され得る。汎用プロセッサは、マイクロプロセッサであり得るが、代替において、プロセッサは、商業的に利用可能な任意のプロセッサ、コントローラ、マイクロコントローラ、または状態機械であり得る。プロセッサはまた、コンピューティングデバイスの組み合わせ、例えば、ＤＳＰとマイクロプロセッサの組み合せ、マイクロプロセッサ、複数のマイクロプロセッサ、ＤＳＰコアと連結する１つ以上のマイクロプロセッサ、または何れかの他のそのような構成として実装され得る。
【００７０】
[0077]１つ以上の態様において、記載された機能は、ハードウェア、ソフトウェア、ファームウェア、またはそれらの任意の組み合せで実装され得る。ソフトウェアに実装される場合、機能は、コンピュータ可読媒体上で、１つ以上の命令またはコードとして記憶または、可読媒体にわたって送信され得る。コンピュータ可読媒体は、ある場所から別の場所へコンピュータプログラムの転送を容易にする任意の媒体を含むコンピュータ記憶媒体と通信媒体の両方を含む。記憶媒体は、コンピュータによってアクセス可能な任意の利用可能な媒体であり得る。限定ではなく例として、そのようなコンピュータ可読媒体は、命令またはデータ構造の形式で所望のプログラムコードを搬送または記憶し、かつおよびコンピュータによってアクセス可能なＲＡＭ、ＲＯＭ、ＥＥＰＲＯＭ（登録商標）、ＣＤ−ＲＯＭまたは他の光学ディスク記憶装置、磁気ディスク記憶装置、または他の磁気記憶装置、または任意の他の媒体を備えることができる。また、任意の接続は、コンピュータ可読媒体と適切に呼ばれ得る。例えば、ソフトウェアが、同軸ケーブル、光ファイバーケーブル、ツイストペア、デジタル加入者線（ＤＳＬ）、または赤外線、無線、および／またはマイクロ波のような無線技術を用いてウェブサイト、サーバ、または他の遠隔ソースから送信される場合、同軸ケーブル、光ファイバーケーブル、ツイストペア、ＤＳＬ、または赤外線、無線、および／またはマイクロ波のようなワイヤレス技術は媒体の定義に含まれる。本明細書において使用されるディスク（disk）およびディスク（disc）は、コンパクトディスク（ＣＤ）、レーザーディスク（登録商標）、光学ディスク、（ＣＤ）、デジタル多用途ディスク（ＤＶＤ）、フロッピー（登録商標）ディスク、およびＢｌｕ−ｒａｙ（登録商標）ディスクを含み、ディスク（disk）が通常データを磁気的に再生する一方で、ディスク（disc）はレーザを用いて光学的にデータを再生する。よって、いくつかの態様において、コンピュータ可読媒体は、非一時的コンピュータ可読媒体（例えば、有形の媒体）を含み得る。加えて、いくつかの態様において、コンピュータ可読媒体は、一時的なコンピュータ読取可能な媒体（例えば、信号）を備え得る。上記の組み合わせはまた、コンピュータ可読媒体の範囲内に含まれるべきである。
【００７１】
[0078]本明細書において開示される方法は、説明された方法を達成するための１つ以上のステップまたはアクションを備える。方法のステップおよび／または動作は特許請求の範囲から逸脱することなく互いに入れ替えられ得る。言い換えれば、ステップまたは動作の特定の順序が特定されない限り、特定のステップおよび／またはアクションの順序および／または使用は、本願の特許請求の範囲から逸脱することなく変更され得る。
【００７２】
[0079]さらに、本明細書において説明される方法および技法を実行するためのモジュールおよび／または他の適切な手段が、ダウンロードされ得ること、および／または、そうでなければ、ユーザ端末および／または基地局によって、適用可能に得られ得ることが理解されるべきである。例えば、このようなデバイスは、本明細書において記載される方法を実行するための手段の転送を容易にするためにサーバに結合されることができる。代替的に、本明細書において記載される方法は、ユーザ端末および／または基地局が、デバイスに記憶手段を結合または提供するに際して、様々な方法を取得することができるように、記憶手段（例えば、ＲＡＭ、ＲＯＭ、コンパクトディスク（ＣＤ）またはフロッピーディスクのような物理記憶媒体、等）を介して提供可能である。さらにまた、本明細書において記載される方法および技法をデバイスに提供するための任意の他の適した技法が利用可能である。
【００７３】
[0080]前述の内容が本開示の態様に向けられる一方、本開示の他のおよびさらなる態様は、その基本的な範囲から逸脱することなく考案されることがあり得、その範囲は、次の特許請求の範囲によって決定される。
【図１】
2018521526.tif 000003
【図２】
2018521526.tif 000004
【図３】
2018521526.tif 000005
【図４】
2018521526.tif 000006
【図５】
2018521526.tif 000007
【図６】
2018521526.tif 000008
【図７】
2018521526.tif 000009
【図８】
2018521526.tif 000010
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アップリンク送信を同時に送信することを２つ以上の局に求める要求を備えるメッセージを第１の局によって受信することと、
前記第１の局によって、前記メッセージを受信した後にクリアチャネルアセスメント（ＣＣＡ）を実行することと、
前記第１の局によって、少なくとも部分的に前記ＣＣＡに基づいて、ワイヤレスの媒体の状態を決定することと、
前記第１の局によって、前記媒体の前記状態に基づいて、または前記メッセージ中に含まれる指示に基づいて、前記アップリンク送信を選択的に送信することと
を備える、方法。
【請求項２】
前記ＣＣＡの前記実行は、少なくとも１つの予め指定されたチャネル上の前記ＣＣＡをチェックすることを備える、請求項１記載の方法。
【請求項３】
前記メッセージは、前記少なくとも１つの予め指定されたチャネルの指示を備える、請求項２記載の方法。
【請求項４】
前記ＣＣＡの前記実行は、前記メッセージの前記受信と前記アップリンク送信の前記選択的な送信との間の、短いフレーム間空間（ＳＩＦＳ）時間、ポイントコーディネーション機能フレーム間空間（ＰＩＦＳ）時間、またはフレーム間空間（ＴＩＦＳ）時間の間に生じる、請求項１記載の方法。
【請求項５】
前記媒体の前記状態を決定することは、前記アップリンク送信の持続時間にさらに基づく、請求項１記載の方法。
【請求項６】
前記媒体の前記状態を決定することは、直交周波数分割多重（ＯＦＤＭ）送信のガードインターバルにおいて前記媒体がアイドルであるかどうかを検出することを備える、請求項１記載の方法。
【請求項７】
前記媒体の前記状態の前記決定は、ネットワーク割り振りベクトル（ＮＡＶ）の状態にさらに基づく、請求項１記載の方法。
【請求項８】
前記媒体上で受信された複数のメッセージに基づいて前記ＮＡＶを設定することをさらに備え、前記複数のメッセージは前記メッセージを備える、請求項７記載の方法。
【請求項９】
前記メッセージは、アップリンク多ユーザ多入力多出力（ＭＵ−ＭＩＭＯ）送信またはアップリンク多ユーザ直交周波数分割多元接続（ＭＵ−ＯＦＤＭＡ）送信を使用して、前記アップリンク送信を送信することを前記２つ以上の局に求める命令をさらに含む、請求項１記載の方法。
【請求項１０】
前記メッセージは、前記アップリンク送信に対する周波数帯域幅の割り当てをさらに含む、請求項１記載の方法。
【請求項１１】
選択的に送信することは、前記割り当てられた帯域幅の利用可能な一部分上で、または前記割り当てられた帯域幅の前記利用可能な一部分のサブセット上で、前記アップリンク送信を送信することを備える、請求項１０記載の方法。
【請求項１２】
選択的に送信することは、前記割り当てられた帯域幅の少なくとも一部分上で、前記媒体の前記状態がビジーであるとき、前記アップリンク送信を送信することを控えることを備える、請求項１０記載の方法。
【請求項１３】
選択的に送信することは、前記媒体の前記状態がビジーであるとき、前記アップリンク送信を送信することを控えることを備える、請求項１記載の方法。
【請求項１４】
前記指示は、前記媒体の前記状態に拘わらず、前記２つ以上の局が前記アップリンク送信を送信すべきであることを指示する前記メッセージのフィールド中の値を備える、請求項１記載の方法。
【請求項１５】
ワイヤレス通信のための装置であって、
アップリンク送信を同時に送信することを２つ以上の局に求める要求を備えるメッセージを受信するように構成された受信機と、
前記メッセージを受信した後にクリアチャネルアセスメント（ＣＣＡ）を実行することと、
少なくとも部分的に前記ＣＣＡに基づいて、ワイヤレスの媒体の状態を決定することと
を行うように構成されたプロセッサと、
前記媒体の前記状態に基づいて、または前記メッセージ中に含まれる指示に基づいて、前記アップリンク送信を選択的に送信するように構成された送信機と
を備える、装置。
【請求項１６】
前記ＣＣＡの前記実行は、前記メッセージの前記受信と前記アップリンク送信の前記選択的な送信との間の、短いフレーム間空間（ＳＩＦＳ）時間、ポイントコーディネーション機能フレーム間空間（ＰＩＦＳ）時間、またはフレーム間空間（ＴＩＦＳ）時間の間に生じる、請求項１５記載の装置。
【請求項１７】
前記プロセッサは、前記アップリンク送信の持続時間に基づいて、前記媒体の前記状態を決定するようにさらに構成される、請求項１５記載の装置。
【請求項１８】
前記プロセッサは、直交周波数分割多重（ＯＦＤＭ）送信のガードインターバルにおいて前記媒体がアイドルであるかどうかを検出するようにさらに構成される、請求項１５記載の装置。
【請求項１９】
前記プロセッサは、ネットワーク割り振りベクトル（ＮＡＶ）に基づいて、前記媒体の前記状態を決定するようにさらに構成される、請求項１５記載の装置。
【請求項２０】
前記プロセッサは、前記媒体上で受信された複数のメッセージに基づいて前記ＮＡＶを設定するようにさらに構成され、前記複数のメッセージは前記メッセージを備える、請求項１９記載の装置。
【請求項２１】
前記メッセージは、アップリンク多ユーザ多入力多出力（ＭＵ−ＭＩＭＯ）送信またはアップリンク多ユーザ直交周波数分割多元接続（ＭＵ−ＯＦＤＭＡ）送信を使用して、前記アップリンク送信を送信することを前記２つ以上の局に求める命令をさらに含む、請求項１５記載の装置。
【請求項２２】
前記メッセージは、前記アップリンク送信に対する周波数帯域幅の割り当てをさらに含む、請求項１５記載の装置。
【請求項２３】
前記送信機は、前記割り当てられた帯域幅の利用可能な一部分上で、または前記割り当てられた帯域幅の前記利用可能な一部分のサブセット上で、前記アップリンク送信を送信するようにさらに構成される、請求項２２記載の装置。
【請求項２４】
前記送信機は、前記媒体の前記状態がビジーであるとき、前記アップリンク送信を送信することを控えるようにさらに構成される、請求項１５記載の装置。
【請求項２５】
ワイヤレス通信のための方法であって、
アップリンク送信を同時に送信することを２つ以上の局に求める要求を備えるメッセージを受信することと、
クリアチャネルアセスメント（ＣＣＡ）およびネットワーク割り振りベクトル（ＮＡＶ）のうちの少なくとも１つに基づいて、前記２つ以上の局のうちの第１の局において媒体の状態を決定することと、
前記局における前記媒体の前記状態に基づいて、または前記メッセージ中に含まれる指示に基づいて、前記アップリンク送信を選択的に送信することと
を備え、
選択的に送信することは、送信パラメータに基づいて前記アップリンク送信を送信することを備え、前記送信パラメータは、ガードインターバル、帯域幅、送信（ＴＸ）電力、変調およびコード化スキーム（ＭＣＳ）、ＴＸ時間、他の局の識別性、送信されることになるデータの量、およびパディングを除く前記データの推定された持続時間から成るグループのうちの少なくとも１つのメンバーを備える、
方法。
【請求項２６】
ワイヤレス通信のための装置であって、
アップリンク送信を同時に送信することを２つ以上の局に求める要求を備えるメッセージを受信するように構成された受信機と、
クリアチャネルアセスメント（ＣＣＡ）およびネットワーク割り振りベクトル（ＮＡＶ）のうちの少なくとも１つに基づいて、媒体の状態を決定するように構成されたプロセッサと、
前記媒体の前記状態に基づいて、または前記メッセージ中に含まれる指示に基づいて、前記アップリンク送信を選択的に送信するように構成された送信機と
を備え、
前記送信機は、送信パラメータに基づいて前記アップリンク送信を送信するようにさらに構成され、前記送信パラメータは、ガードインターバル、帯域幅、送信（ＴＸ）電力、変調およびコード化スキーム（ＭＣＳ）、ＴＸ時間、他の局の識別性、送信されることになるデータの量、およびパディングを除く前記データの推定された持続時間のうちの１つまたは複数を備える、
装置。
【手続補正２】
【補正対象書類名】明細書
【補正対象項目名】００７３
【補正方法】変更
【補正の内容】
【００７３】
[0080]前述の内容が本開示の態様に向けられる一方、本開示の他のおよびさらなる態様は、その基本的な範囲から逸脱することなく考案されることがあり得、その範囲は、次の特許請求の範囲によって決定される。
以下に本願の出願当初の特許請求の範囲に記載された発明を付記する。
[Ｃ１]  ２つ以上の局に対する、アップリンク送信を同時に送信する要求を備えるメッセージを受信することと、
クリアチャネルアセスメント（ＣＣＡ）およびネットワーク割り振りベクトル（ＮＡＶ）のうちの少なくとも１つに基づいて、前記局における媒体の状態を決定することと、  前記局における前記媒体の前記状態に基づいて、または前記メッセージ中に含まれる指示に基づいて、前記アップリンク送信を選択的に送信することとを備える、ワイヤレス通信のための方法。
[Ｃ２]  前記媒体の前記状態を決定することは、前記メッセージを受信する前に、前記ＣＣＡをチェックすることを備える、Ｃ１記載の方法。
[Ｃ３]  前記媒体の前記状態を決定することは、少なくとも１つの予め指定されたチャネル上の前記ＣＣＡをチェックすることを備える、Ｃ１記載の方法。
[Ｃ４]  前記メッセージは、前記少なくとも１つの予め指定されたチャネルの指示を備える、Ｃ３記載の方法。
[Ｃ５]  前記媒体の前記状態を決定することは、前記メッセージを受信後、かつ前記アップリンク送信を選択的に送信する前の時間の期間の間に、前記ＣＣＡをチェックすることを備える、Ｃ１記載の方法。
[Ｃ６]  前記時間の期間は、短いフレーム間空間（ＳＩＦＳ）時間、ポイントコーディネーション機能フレーム間空間（ＰＩＦＳ）時間、またはフレーム間空間（ＴＩＦＳ）時間を備える、Ｃ５記載の方法。
[Ｃ７]  前記媒体の前記状態を決定することは、前記アップリンク送信の持続時間にさらに基づく、Ｃ１記載の方法。
[Ｃ８]  前記媒体の前記状態を決定することは、前記媒体上のエネルギーレベルをチェックすることを備える、Ｃ１記載の方法。
[Ｃ９]  前記媒体の前記状態を決定することは、ガードインターバル構造に基づいて、直交周波数分割多重（ＯＦＤＭ）送信を検出することを備える、Ｃ１記載の方法。
[Ｃ１０]  前記媒体の前記状態を決定することは、前記媒体上で受信されたメッセージに基づいて、前記ＮＡＶを設定することを備える、Ｃ１記載の方法。
[Ｃ１１]  前記ＮＡＶを設定することは、予め指定されたチャネル上で受信されたメッセージに基づいて、前記ＮＡＶを設定することを備える、Ｃ１０記載の方法。
[Ｃ１２]  前記メッセージは、アップリンク多ユーザ多入力多出力（ＭＵ−ＭＩＭＯ）送信またはアップリンク多ユーザ直交周波数分割多元接続（ＭＵ−ＯＦＤＭ）送信を使用して、前記２つ以上の局に対する、前記アップリンク送信を送信する命令をさらに含む、Ｃ１記載の方法。
[Ｃ１３]  前記メッセージは、前記アップリンク送信に対する周波数帯域幅の割り当てをさらに含む、Ｃ１記載の方法。
[Ｃ１４]  選択的に送信することは、前記割り当てられた帯域幅の利用可能な一部分上で、または前記割り当てられた帯域幅の利用可能な一部分のサブセット上で、前記アップリンク送信を送信することを備える、Ｃ１３記載の方法。
[Ｃ１５]  選択的に送信することは、前記割り当てられた帯域幅の少なくとも一部分上で、前記媒体の前記状態がビジーであるとき、前記アップリンク送信を送信することを控えることを備える、Ｃ１３記載の方法。
[Ｃ１６]  選択的に送信することは、前記媒体の前記状態がビジーであるとき、前記アップリンク送信を送信することを控えることを備える、Ｃ１記載の方法。
[Ｃ１７]  選択的に送信することは、送信パラメータに基づいて、前記アップリンク送信を送信することを備える、Ｃ１記載の方法。
[Ｃ１８]  前記送信パラメータは、ガードインターバル、帯域幅、送信（ＴＸ）電力、変調およびコード化スキーム（ＭＣＳ）、ＴＸ時間、他の局の識別性、送信されるであろうデータの量、およびパディングを除く前記データの推定された持続時間から成るグループのうちの少なくとも１つのメンバーを備える、Ｃ１７記載の方法。
[Ｃ１９]  前記指示は、前記媒体の前記状態に拘わらず、前記２つ以上の局が前記アップリンク送信を送信すべきであることを指示する前記メッセージのフィールド中の値を備える、Ｃ１記載の方法。
[Ｃ２０]  ２つ以上の局に対する、アップリンク送信を同時に送信する要求を備えるメッセージを受信するように構成された受信機と、
クリアチャネルアセスメント（ＣＣＡ）およびネットワーク割り振りベクトル（ＮＡＶ）のうちの少なくとも１つに基づいて、媒体の状態を決定するように構成されたプロセッサと、
前記媒体の前記状態に基づいて、または前記メッセージ中に含まれる指示に基づいて、前記アップリンク送信を選択的に送信するように構成された送信機とを備える、ワイヤレス通信のための装置。
[Ｃ２１]  前記プロセッサは、前記メッセージを受信する前に、前記ＣＣＡをチェックするようにさらに構成される、Ｃ２０記載の装置。
[Ｃ２２]  前記プロセッサは、前記メッセージを受信後かつ前記アップリンク送信を選択的に送信する前の時間の期間の間に、前記ＣＣＡをチェックするようにさらに構成される、Ｃ２０記載の装置。
[Ｃ２３]  前記時間の期間は、短いフレーム間空間（ＳＩＦＳ）時間、ポイントコーディネーション機能フレーム間空間（ＰＩＦＳ）時間、またはフレーム間空間（ＴＩＦＳ）時間を備える、Ｃ２２記載の装置。
[Ｃ２４]  前記プロセッサは、前記アップリンク送信の持続時間に基づいて、前記ＣＣＡをチェックするようにさらに構成される、Ｃ２０記載の装置。
[Ｃ２５]  前記プロセッサは、前記媒体上のエネルギーレベルをチェックするようにさらに構成される、Ｃ２０記載の装置。
[Ｃ２６]  前記プロセッサは、ガードインターバル構造に基づいて、直交周波数分割多重（ＯＦＤＭ）送信を検出するようにさらに構成される、Ｃ２０記載の装置。
[Ｃ２７]  前記プロセッサは、前記媒体上で受信されたメッセージに基づいて、前記ＮＡＶを設定するようにさらに構成される、Ｃ２０記載の装置。
[Ｃ２８]  前記プロセッサは、予め指定されたチャネル上で受信されたメッセージに基づいて、前記ＮＡＶを設定するようにさらに構成される、Ｃ２７記載の装置。
[Ｃ２９]  前記メッセージは、アップリンク多ユーザ多入力多出力（ＭＵ−ＭＩＭＯ）送信またはアップリンク多ユーザ直交周波数分割多元接続（ＭＵ−ＯＦＤＭ）送信を使用して、前記局に対する、前記アップリンク送信を送信する命令をさらに含む、Ｃ２０記載の装置。
[Ｃ３０]  前記メッセージは、前記アップリンク送信に対する周波数帯域幅の割り当てをさらに含む、Ｃ２０記載の装置。
[Ｃ３１]  前記送信機は、前記割り当てられた帯域幅の利用可能な一部分上で、または前記割り当てられた帯域幅の利用可能な一部分のサブセット上で、前記アップリンク送信を送信するようにさらに構成される、Ｃ３０記載の装置。
[Ｃ３２]  前記送信機は、前記媒体の前記状態がビジーであるとき、前記アップリンク送信を送信することを控えるようにさらに構成される、Ｃ２０記載の装置。
[Ｃ３３]  前記送信機は、送信パラメータに基づいて、前記アップリンク送信を送信するようにさらに構成される、Ｃ２０記載の装置。
[Ｃ３４]  前記送信パラメータは、ガードインターバル、帯域幅、送信（ＴＸ）電力、変調およびコード化スキーム（ＭＣＳ）、ＴＸ時間、他の局の識別性、送信されるであろうデータの量、およびパディングを除く前記データの推定された持続時間のうちの１つ以上を備える、Ｃ３３記載の装置。
[Ｃ３５]  ２つ以上の局に対する、アップリンク送信を同時に送信する要求を備えるメッセージを受信するための手段と、
クリアチャネルアセスメント（ＣＣＡ）およびネットワーク割り振りベクトル（ＮＡＶ）のうちの少なくとも１つに基づいて、媒体の状態を決定するための手段と、
前記媒体の前記状態に基づいて、または前記メッセージ中に含まれる指示に基づいて、前記アップリンク送信を選択的に送信するための手段とを備える、ワイヤレス通信のための装置。
[Ｃ３６]  命令が実行されたとき、
２つ以上の局に対する、アップリンク送信を同時に送信する要求を備えるメッセージを受信することと、
クリアチャネルアセスメント（ＣＣＡ）およびネットワーク割り振りベクトル（ＮＡＶ）のうちの少なくとも１つに基づいて、前記局における媒体の状態を決定することと、  前記媒体の前記状態に基づいて、または前記メッセージ中に含まれる指示に基づいて、前記アップリンク送信を選択的に送信することとの方法を、プロセッサに実施させる命令を備える、非一時的コンピュータ可読媒体。
【国際調査報告】
2018521526.tif 000011
2018521526.tif 000012
2018521526.tif 000013
2018521526.tif 000014